(57)【要約】【課題】  、再生系が複雑になることなく、高密度多値記録再生が可能な光学的情報記録再生方法を提供する。【解決手段】  光ディスクのトラック上に、情報ピットのトラック方向における幅とトラック方向における情報ピットのシフト量との組み合わせによって多値情報の記録を行う。再生時には、再生用スポットの中心が、各々の幅の情報ピットのトラック方向における中心位置のタイミングで再生信号のサンプリングを行う。また、各々の中心位置で検出された再生信号を所定閾値と比較することによって情報ピットの幅を判断し、且つ、各々の中心位置で検出された再生信号レベルに基づいて情報ピットのシフト量を判断することによって再生を行う。【選択図】        図１
2005346843.tif 000002
【特許請求の範囲】
【請求項１】
光学的情報記録媒体のトラック上に、情報ピットのトラック方向における幅とトラック方向における情報ピットの中心位置のシフト量との組み合わせで多値情報の記録を行い、前記記録媒体上の情報ピットを再生する場合には、再生用スポットの中心が、各々の幅の情報ピットのトラック方向における中心位置のタイミングで再生信号を検出し、各々の中心位置で検出された再生信号を所定閾値と比較することによって情報ピットの幅を判断し、且つ、前記各々の中心位置で検出された再生信号レベルに基づいて情報ピットのシフト量を判断することによって多値情報の再生を行うことを特徴とする光学的情報記録再生方法。
【請求項２】
光スポットを形成する光の波長をλ、対物レンズの開口数をＮＡとし、一つの情報ピットを記録する領域のトラック方向の幅をＷとする場合、Ｗ＜１．２（λ／ＮＡ）であって、Ｗの幅を１６分割した時、前記複数の情報ピットのトラック方向の幅は、４（Ｗ／１６）、８（Ｗ／１６）、１２（Ｗ／１６）近傍に選択することを特徴とする請求項１に記載の光学的情報記録再生方法。
【請求項３】
前記４（Ｗ／１６）と８（Ｗ／１６）の幅の情報ピットを記録する位置は、前記情報ピットを記録する領域のトラック方向に対して中央の位置と、中央から前に2（Ｗ／１６）の位置と、中央から後ろに2（Ｗ／１６）の位置とに設定し、１２（Ｗ／１６）の幅の情報ピットを記録する位置は、前記情報ピットを記録する領域のトラック方向に対して中央の位置と設定し、情報ピットを何も記録しない値も含め、８値の多値を記録することを特徴とする請求項２に記載の光学的情報記録再生方法。
【請求項４】
前記光学的情報記録媒体に照射し、反射した光スポットから得られる情報ピットからの反射光量を、光検出器で受光し、それから得られる検出信号をサンプリングするタイミングは、情報ピットを記録する領域のトラック方向に対する中央の位置と（この時得られる検出信号をＳ（中央）とする）、中央から前に2（Ｗ／１６）の位置と（この時得られる検出信号をＳ（前）とする）、中央から後ろに2（Ｗ／１６）の位置とし（この時に得られる検出信号をＳ（後ろ）とする）、夫々の位置で検出された検出信号より情報ピットのトラック方向の幅はＳ（中央）、または、Ｓ（前）、または、Ｓ（後ろ）のいずれかを用いて、固定の閾値で判断し、記録されている位置が情報ピットを記録する領域のトラック方向に対する中央か、中央から前か、中央から後ろかは、Ｓ（前）とＳ（後ろ）の大きさとその差から判断することを特徴とする請求項２又は３に記載の光学的情報記録再生方法。
【請求項５】
光スポットを形成する光の波長をλ、対物レンズの開口数をＮＡとし、一つの情報ピットを記録する領域のトラック方向の幅をＷとする場合、Ｗ＜１．２（λ／ＮＡ）であって、Ｗの幅を１６分割した時、前記複数の情報ピットのトラック方向の幅は、６（Ｗ／１６）、１０（Ｗ／１６）、１４（Ｗ／１６）近傍に選択することを特徴とする請求項１に記載の光学的情報記録再生方法。
【請求項６】
前記６（Ｗ／１６）と１０（Ｗ／１６）の幅の情報ピットを記録する位置は、前記情報ピットを記録する領域のトラック方向に対して中央の位置と、中央から前に2（Ｗ／１６）の位置と、中央から後ろに2（Ｗ／１６）の位置とに設定し、１４（Ｗ／１６）の幅の情報ピットを記録する位置は、前記情報ピットを記録する領域のトラック方向に対して中央の位置に設定し、情報ピットを何も記録しない値も含め、８値の多値を記録することを特徴とする請求項５に記載の光学的情報記録再生方法。
【請求項７】
前記光学的情報記録媒体に照射し、反射した光スポットから得られる情報ピットからの反射光量を、光検出器で受光し、それから得られる検出信号をサンプリングするタイミングは、情報ピットを記録する領域のトラック方向に対する中央の位置と（この時得られる検出信号をＳ（中央）とする）、中央から前に2（Ｗ／１６）の位置と（この時得られる検出信号をＳ（前）とする）、中央から後ろに2（Ｗ／１６）の位置とし（この時に得られる検出信号をＳ（後ろ）とする）、夫々の位置で検出された検出信号より情報ピットのトラック方向の幅はＳ（中央）、または、Ｓ（前）、または、Ｓ（後ろ）のいずれかを用いて、固定の閾値で判断し、記録されている位置が情報ピットを記録する領域のトラック方向に対する中央か、中央から前か、中央から後ろかは、Ｓ（前）とＳ（後ろ）の大きさとその差から判断することを特徴とする請求項１又は４に記載の光学的情報記録再生方法。
【請求項８】
光学的情報記録媒体のトラック上に、情報ピットのトラック方向における幅とトラック方向における情報ピットの中心位置のシフト量との組み合わせによって多値情報の記録を行う手段と、前記記録媒体上の情報ピットを再生する場合には、再生用スポットの中心が、各々の幅の情報ピットのトラック方向における中心位置のタイミングで再生信号を検出する手段と、各々の中心位置で検出された再生信号を所定閾値と比較することによって情報ピットの幅を判断し、且つ、前記各々の中心位置で検出された再生信号レベルに基づいて情報ピットのシフト量を判断することによって多値情報の再生を行う手段とを備えたことを特徴とする光学的情報記録再生装置。
【発明の詳細な説明】
【技術分野】
【０００１】
本発明は、情報ピットのレベルを２値以上の値を用いて記録或いは再生を行う多値記録再生方法及び装置に関するものである。
【背景技術】
【０００２】
近年、光メモリ産業は拡大しつつあり、再生専用のＣＤやＤＶＤから、金属薄膜や色素系記録材料を用いた追記型、更には、光磁気材料や相変化材料を用いた書換え型まで開発され、その応用も民生からコンピュータの外部メモリへと拡大している。そして、更に記録容量の高密度化の研究開発が進められており、情報の記録再生に関わる光スポットを微小化する技術として、光源の波長は赤色（６５０ｎｍ）から、青紫色(４０５ｎｍ)になりつつある。また、対物レンズの開口数も０．６や０．６５から０．８５へと高められようとしている。更に、一方では、同じ光スポットの大きさを用いて、より効率のよい多値記録再生の技術も提案されている。
【０００３】
例えば、本願発明者は、多値記録再生技術の方式として、特開平５−１２８５３０号公報において、光学的情報記録媒体の情報トラック上に、情報ピットのトラック方向の幅と、その情報ピットの再生用光スポットに対するトラック方向のシフト量の組み合せによって、多値情報を記録する記録方法と、その多値記録した情報ピットを再生する際、予め学習しておいた検出信号と光スポットから得られた検出信号との相関より多値情報を再生する再生方法とを提案している（特許文献１）。
【０００４】
また、光ディスク分野の研究における国際学会であるＩＳＯＭ２００３（Write−once Disks for Multi-level Optical Recording：予稿集Ｆｒ−Ｐｏ−０４）において、青紫色の光源（４０５ｎｍ）とＮＡ０．６５の光学系を用い、トラックピッチが０．４６μｍの光ディスクに対して、一つの情報ピットを記録する領域のトラック方向の幅を０．２６μｍとし、８レベルの多値記録再生を行った発表がなされている（非特許文献１）。
【０００５】
８レベルの情報ピットの選択は、例えば、図８に示すように一つの情報ピットを記録する領域のトラック方向の幅０．２６μｍを１６等分し（１６チャンネルビット）、レベル０を何も情報ピットを記録しない、レベル１を２チャンネルビットの幅、レベル２を４チャンネルビットの幅、レベル３を６チャンネルビットの幅、レベル４を８チャンネルビットの幅、レベル５を１０チャンネルビットの幅、レベル６を１２チャンネルビットの幅、レベル７を１４チャンネルビットの幅とする。
【０００６】
このように選択した情報ピットをランダムに記録し、波長４０５ｎｍ、開口数０．８５による光スポットを照射し、その反射光量を光検出器で受光し、得られた多値情報ピットからの再生信号を、光スポットの中心が、情報ピットを記録する領域のトラック方向の幅の中央に来た時のタイミングでサンプリングすると、各レベルに対する再生信号は図９のような分布が得られる。ここで、情報ピットが何も書かれていないレベル０が続く時の再生信号を『１』、レベル７の情報ピットが連続して記録されている時の再生信号を『０』として規格化している。
【０００７】
各レベルに対応する再生信号の値が幅を持つのは、前後に書かれている情報ピットからの影響（符号間干渉）を受けるからである。図９のように隣のレベルと再生信号の分布が重なっていると、固定した閾値では分離検出できないことが分かる。
【０００８】
ＩＳＯＭ２００３の発表では、これを解決するために、予め前後と注目している情報ピットの値が分かっているピット列からの再生信号を読み取り記憶しておき（学習）、実際の情報ピットからの再生信号と記録しておいた値とを比べて（相関をみる）、分離検出する方式が述べられている。この方式では、記録密度はおよそ１６Gbit／inch2である。
【特許文献１】特開平５−１２８５３０号公報
【非特許文献１】ＩＳＯＭ２００３（Write−once Disks for Multi-level Optical Recording：予稿集Ｆｒ−Ｐｏ−０４）
【発明の開示】
【発明が解決しようとする課題】
【０００９】
更に、青紫色の光源（４０５ｎｍ）とＮＡ０．８５光学系を用い、光スポットを微小化し、ＩＳＯＭ２００３で発表された多値方式に適応し、光スポットの大きさの比で計算すると、およそ３０Gbit／inch2程度の高密度化が狙える。
【００１０】
しかしながら、ＩＳＯＭ２００３で発表された多値方式は、情報ピットのトラック方向の幅を段階的に変化させた７種類の情報ピットと情報ピットなしの８値を用いており、青紫色の光源（４０５ｎｍ）とＮＡ０．８５の光学系を用いた方式に光スポットの大きさの比で小さくして適応すると、最小の情報ピットの幅は２５ｎｍ程度と非常に微小なピットとなり、光ディスク上にこのような微小な情報ピットを記録することは困難であった。
【００１１】
また、ＩＳＯＭ２００３で発表された多値方式の再生は、注目している情報ピット前後の情報ピットの影響（符号間干渉）を除くために、学習と相関をみることにより再生しており、固定の閾値では情報ピットのトラック方向の幅の違いを分離検出できないことから再生方式が複雑になるという問題点があった。更に、ＩＳＯＭ２００３で発表された多値方式では、全ての情報ピットは、一つの情報ピットを記録する領域の中央に記録する方式であった。
【００１２】
本発明は、このような実情に鑑みなされたもので、その目的は、再生系が複雑になることなく、高密度多値記録再生が可能な光学的情報記録再生方法及び装置を提供することにある。
【課題を解決するための手段】
【００１３】
本発明は、上記目的を達成するため、光学的情報記録媒体のトラック上に、情報ピットのトラック方向における幅とトラック方向における情報ピットの中心位置のシフト量との組み合わせで多値情報の記録を行い、前記記録媒体上の情報ピットを再生する場合には、再生用スポットの中心が、各々の幅の情報ピットのトラック方向における中心位置のタイミングで再生信号を検出し、各々の中心位置で検出された再生信号を所定閾値と比較することによって情報ピットの幅を判断し、且つ、前記各々の中心位置で検出された再生信号レベルに基づいて情報ピットのシフト量を判断することによって多値情報の再生を行うことを特徴とする。
【００１４】
また、本発明は、光学的情報記録媒体のトラック上に、情報ピットのトラック方向における幅とトラック方向における情報ピットの中心位置のシフト量との組み合わせによって多値情報の記録を行う手段と、前記記録媒体上の情報ピットを再生する場合には、再生用スポットの中心が、各々の幅の情報ピットのトラック方向における中心位置のタイミングで再生信号を検出する手段と、各々の中心位置で検出された再生信号を所定閾値と比較することによって情報ピットの幅を判断し、且つ、前記各々の中心位置で検出された再生信号レベルに基づいて情報ピットのシフト量を判断することによって多値情報の再生を行う手段とを備えたことを特徴とする。
【発明の効果】
【００１５】
本発明によれば、光スポットで再生する際に、前後の情報ピットとの符号間干渉があっても、注目している情報ピットを固定の閾値で夫々異なるトラック方向の幅の情報ピットとして分離検出できると共に、最小の情報ピットの大きさを大きくすることができる。
【発明を実施するための最良の形態】
【００１６】
次に、発明を実施するための最良の形態について図面を参照して詳細に説明する。図１は本発明による光学的情報記録再生装置の一実施形態の構成を示すブロック図である。
【００１７】
光学的情報記録再生装置１は、制御回路２、スピンドルモータ３、光ディスク４、光ヘッド５、光ヘッド制御回路６、情報記録回路７、情報再生回路８、スピンドルモータコントローラ９及びインタフェースコントローラ１０を有する。制御回路２は、外部のコンピュータ等の情報処理装置との情報の送受信を制御し、光ディスク４に対する情報の記録や再生を情報記録回路７と情報再生回路８を用いて制御し、また、その他の稼働部を制御する。情報記録回路７は後述するように多値情報の記録を行い、情報再生回路８は多値情報の再生を行う。
【００１８】
スピンドルモータ３は、スピンドルモータコントローラ９により制御され、光ディスク４を回転駆動する。光ディスク４は、不図示の機構により光学的情報記録再生装置１に対して挿入または排出される光学的情報記録媒体である。
【００１９】
光ヘッド５は、光ディスク４に光学的に情報を記録し、再生する。光ヘッド５に関しては、例えば、光源の波長λとして４０５ｎｍ、対物レンズの開口数ＮＡとして０．８５とすると、光スポットの大きさ、１．２（λ／ＮＡ）の値は、およそ０．５７μｍとなる。トラックピッチは０．３２μｍとする。光ヘッド制御回路６は光ヘッド５による光スポットの位置を制御するものであり、オートトラッキング制御、シーク動作の制御、オートフォーカシング制御を行う。
【００２０】
図２は本発明の光学的情報記録再生装置に用いる多値情報ピットのレベルの違いによるトラック方向の幅と記録する位置を説明する図である。説明の便宜上、情報ピットのトラック方向と垂直な方向の幅は実際よりも小さく示している。
【００２１】
同図において、矢印Ａ方向がトラックの方向であり、２本の太い実線に挟まれた領域が一つの情報ピットを記録する領域を示す。本実施形態では光スポットの大きさは約０．５７μｍであり、トラックピッチ０．３２μｍの光ディスクを用いるとすると、情報ピットを記録する領域の幅を約２００ｎｍ以下にすると、面密度３０Gbit／inch2が達成できる。そこで、ここでは、情報ピットを記録する領域の幅を２００ｎｍとして説明を続ける。
【００２２】
この場合、図８に示す従来例を適応すると、最短の情報ピットの幅が２５nmとなり、従来の方法では情報ピットの大きさが小さすぎて、記録が困難であった。本実施形態では、図２に破線で示すように記録する領域を１６分割（１６チャネルビット）し、情報ピットのトラックの方向の幅として、４（Ｗ／１６）、８（Ｗ／１６）、１２（Ｗ／１６）の３種類を選択する。ここで、Wは記録する領域の幅である。Wを２００ｎｍとすると、最短の情報ピットの幅４（Ｗ／１６）は、５０ｎｍとなり、従来例の適応よりも記録が容易になる。
【００２３】
また、例えば、８レベルを以下のようにする。
【００２４】
レベル０を何も情報ピットを記録しない。
【００２５】
レベル１を４チャンネルビット（４（Ｗ／１６））の幅で、記録する領域のトラック方向に対して中央の位置に記録する。
【００２６】
レベル２を４チャンネルビット（４（Ｗ／１６））の幅で、記録する領域のトラック方向に対して、２チャンネルビット（２（W／１６））前に記録する。
【００２７】
レベル３を４チャンネルビット（４（Ｗ／１６））の幅で、記録する領域のトラック方向に対して、２チャンネルビット（２（W／１６））後ろに記録する。
【００２８】
レベル４を８チャンネルビット（８（Ｗ／１６））の幅で、記録する領域のトラック方向に対して中央の位置に記録する。
【００２９】
レベル５を８チャンネルビット（８（Ｗ／１６））の幅で、記録する領域のトラック方向に対して、２チャンネルビット（２（W／１６））前に記録する。
【００３０】
レベル６を８チャンネルビット（８（Ｗ／１６））の幅で、記録する領域のトラック方向に対して、２チャンネルビット（２（W／１６））後ろに記録する。
【００３１】
レベル７を１２チャンネルビット（１２（Ｗ／１６））の幅で、記録する領域のトラック方向に対して中央の位置に記録する。
【００３２】
図３はトラックに対して、ランダムな情報ピットを記録した時の模式図と、光スポットの関係を示す。例えば、記録消去可能な記録材料として相変化材を利用する場合、光ディスクに光スポットを照射し、記録及び消去光量とそれらのタイミングを調整することにより、情報ピットの形状を変化させ、複数の再生レベルの情報ピットが形成される。
【００３３】
なお、記録消去可能な記録材料としては相変化材料以外にも光磁気材料が利用できる。この場合、上述した光学的情報記録再生装置で光スポット以外に図示しない磁気ヘッドからの磁界との協調作業により、情報ピットの形状を変化させ、複数の再生レベルの情報ピットを形成する。更に、追記のみ可能な記録材料を適用することも可能であり、記録材料として有機色素や金属膜を利用でき、記録する領域に光スポットを照射し、記録光量とそれらのタイミングを調整することにより、情報ピットの形状を変化させ、複数の再生レベルの情報ピットが形成される。また、再生専用の記録媒体でも同様に、情報ピットが位相ピットと呼ばれる凹凸形状として基板に形成でき、この位相ピットの面積或いは位相ピットの光学的な深さを変調することで多値レベルの記録が可能である。
【００３４】
記憶容量を増やすためには、情報ピットを記録する領域を小さくする必要があり、小さくすると図３に示すように再生ビーム径内に２〜３個の記録する領域の情報ピットが含まれることになる。このような多値レベルの記録を前提に本実施形態の原理を相変化材を利用した場合の例で説明を続ける。
【００３５】
図３において、矢印Ａ方向が同様にトラック方向を示し、１１は情報ピットを記録する光ディスク上のトラックを示す。破線で区切られた領域がそれぞれ情報ピットを記録する領域であり、図２の方式に従って上部に記載されたレベル数に対応する情報ピットが１２の如く記録されている。１３は光スポットであり、記録する領域の幅（W）と光スポットの大きさ（１．２（λ／ＮＡ）との関係は、記録する領域の幅（Ｗ）が光スポットの大きさ（１．２（λ／ＮＡ）よりも小さくしないと、従来の方式よりも面密度は向上しない（つまりW＜１．２（λ／ＮＡ）が必要）。
【００３６】
本実施形態では、光スポットの大きさ約０．５７μｍに対し、記録する領域の幅を２００ｎｍ（０．２μｍ）としている。このスケールだと、従来方式（例えば、１７ＰＰ変調、２Ｔ＝１３９ｎｍ）とした時の面密度約１９．５Gbit／inch2に対して、約１．５倍の面密度向上が可能である。
【００３７】
図９に示す再生信号の分布で、４（Ｗ／１６）、８（Ｗ／１６）、１２（Ｗ／１６）の３種類の信号だけを取り出してみると、図４のようになり、固定の閾値で３種類の幅の情報ピットの分離ができることが分かる。
【００３８】
光ディスク４に記録されている情報ピットは、光スポットにより読み出される。光ディスク４からの反射光は光ヘッド５内の光検出器で受光し、光検出器から得られる検出信号のサンプリングのタイミングは、光スポットの中心が、図２に示す情報ピットを記録する領域の中央の位置と（この時得られる検出信号をＳ（中央）とする）、中央から前に2（Ｗ／１６）の位置と（この時得られる検出信号をＳ（前）とする）、中央から後ろに2（Ｗ／１６）の位置（この時に得られる検出信号をＳ（後ろ）とする）に来た時とする。
【００３９】
夫々の位置で検出された検出信号より情報ピットのトラック方向の幅はＳ（中央）、または、Ｓ（前）、または、Ｓ（後ろ）のいずれかを用いて、固定の閾値で判断する。具体的には、図４は多値レベルと再生信号との関係を示す図であるが、本実施形態では、例えば、図４の再生信号の０．８、０．５、０．２５に閾値を設定し、それぞれの閾値に対して再生信号レベルが大きいか小さいかを判断することで情報ピットのトラック方向における幅を判断する。
【００４０】
一方、情報ピットが記録されている位置が、記録する領域のトラック方向に対する中央か、中央から前か、中央から後ろかは、Ｓ（前）とＳ（後ろ）の大きさとその差から判断する。
【００４１】
図５は幅４（W／１６）の孤立した情報ピットを、記録する領域の中央、中央から２（W／１６）だけ前、中央から２（W／１６）だけ後ろの３箇所に記録して、光スポットで再生した時の再生信号の大きさの変化を示す。
【００４２】
矢印Ａ方向をトラック方向とし、１４の情報ピットは前の位置に記録されたもの、１５は中央に記録されたもの、１６は後ろに記録されたものを模式的に示している。トラック方向と垂直方向の幅と位置は説明の便宜上変えてある。
【００４３】
また、それぞれの光スポットの動きに対する再生信号の変化曲線は、１７は前に記録された情報ピット１４に対応するもの、１８は中央に記録された情報ピット１５に対するもの、１９は後ろに記録された情報ピット１６に対応するものである。
【００４４】
３つの曲線をそれぞれ、光スポットが、中央から２（W／１６）だけ前の位置、中央の位置、中央から２（W／１６）だけ後ろの位置に来た時の３箇所でサンプリングし、その値をそれぞれ、Ｓ（前）、Ｓ（中央）、Ｓ（後ろ）とする。
【００４５】
情報ピットが中央に記録されている場合（１５）、Ｓ(前)とＳ(後ろ)の値は同じでその大きさは、Ｓ（中央）の値に近い。つまり、Ｓ(前)とＳ（後ろ）の値がＳ（中央）の値に近く、Ｓ（前）とＳ（後ろ）の値の差がない場合、情報ピットは中央に記録されていると判断する。
【００４６】
次に、情報ピットが中央から２（W／１６）だけ前の位置に記録されている場合（１４）、Ｓ（前）の信号は小さくなり、Ｓ（中央）は少し大きく、Ｓ（後ろ）は更に大きくなっている。つまり、Ｓ(前)とＳ（後ろ）の値の差は大きく、Ｓ(前)−Ｓ（後ろ）が負の値の時、情報ピットは前の位置に記録されていると判断する。
【００４７】
同様に、情報ピットが中央から２（W／１６）だけ後ろの位置に記録されている場合（１６）、Ｓ（後ろ）の信号は小さくなり、Ｓ（中央）は少し大きく、Ｓ（前）は更に大きくなっている。つまり、Ｓ(前)とＳ（後ろ）の値の差は大きく、Ｓ(前)−Ｓ（後ろ）が正の時、情報ピットは後ろの位置に記録されていると判断する。
【００４８】
図５では符号間干渉を無視した孤立ピットで説明したが、実際には符号間干渉が生じることを踏まえると、Ｓ（前）とＳ（後ろ）の大きさ関係と、その差が一定以上になった時のみ、その差の符号に応じて、情報ピットの位置を判断するようにした方がよい。
【００４９】
以上説明した図２に従った方式では、それぞれの情報ピットの幅の差を４チャンネルビット（４（Ｗ／１６））ずつ取ってあるので、再生信号を得る際には、固定した閾値で幅の違いを分離することができる。更に、情報ピットの端と記録する領域の境界との距離を４チャンネルビット（４（Ｗ／１６））以上とってあるので、符号間干渉が生じ難い。
【００５０】
図６は本発明による他の実施形態の多値情報ピットのレベルの違いによるトラック方向の幅と記録する位置を説明する図である。同様に説明の便宜上情報ピットのトラック方向と垂直な方向の幅は実際よりも小さく示している。
【００５１】
同図において、矢印Ａ方向がトラックの方向であり、２本の太い実線に挟まれた領域が一つの情報ピットを記録する領域を示す。本実施形態においても、前述の実施形態と同様の光学系と光ディスクを用い、記録する領域の幅を約２００ｎｍ以下にすると、面密度３０Gbit／inch2が達成できる。
【００５２】
同じように記録する領域を１６分割（１６チャネルビット）し、情報ピットのトラックの方向の幅として、この実施形態では６（Ｗ／１６）、１０（Ｗ／１６）、１４（Ｗ／１６）の３種類を選択する。ここで、Wは記録する領域の幅である。Wを２００ｎｍとすると、最短の情報ピットの幅６（Ｗ／１６）は７５ｎｍとなり、前述の実施形態よりも記録が容易になる。
【００５３】
また、例えば、８レベルを以下のようにする。
【００５４】
レベル０を何も情報ピットを記録しない。
【００５５】
レベル１を６チャンネルビット（６（Ｗ／１６））の幅で、記録する領域のトラック方向に対して中央の位置に記録する。
【００５６】
レベル２を６チャンネルビット（６（Ｗ／１６））の幅で、記録する領域のトラック方向に対して、２チャンネルビット（２（W／１６））前に記録する。
【００５７】
レベル３を６チャンネルビット（６（Ｗ／１６））の幅で、記録する領域のトラック方向に対して、２チャンネルビット（２（W／１６））後ろに記録する。
【００５８】
レベル４を１０チャンネルビット（１０（Ｗ／１６））の幅で、記録する領域のトラック方向に対して中央の位置に記録する。
【００５９】
レベル５を１０チャンネルビット（１０（Ｗ／１６））の幅で、記録する領域のトラック方向に対して、２チャンネルビット（２（W／１６））前に記録する。
【００６０】
レベル６を１０チャンネルビット（１０（Ｗ／１６））の幅で、記録する領域のトラック方向に対して、２チャンネルビット（２（W／１６））後ろに記録する。
【００６１】
レベル７を１４チャンネルビット（１４（Ｗ／１６））の幅で、記録する領域のトラック方向に対して中央の位置に記録する。
【００６２】
図９に示す再生信号の分布で、４（Ｗ／１６）、８（Ｗ／１６）、１２（Ｗ／１６）の３種類の信号だけを取り出してみると、図７のようになり、やはり固定の閾値で３種類の幅の情報ピットの分離ができることが分かる。情報ピットの位置の判断については、図５で説明したものと同等な方法で行う。
【図面の簡単な説明】
【００６３】
【図１】本発明に係る光学的情報記録再生装置の一実施形態を示すブロック図である。
【図２】本発明に係る多値情報ピットのレベルの違いによるトラック方向の幅と記録する位置を説明する図である。
【図３】本発明に係るトラックに対してランダムな情報ピットを記録した時の模式図と光スポットの関係を示す図である。
【図４】図２の記録方式による情報ピットを再生した時の再生信号の分布を示す図である。
【図５】本発明に係る情報ピットの記録位置を判断する方法を説明する図である。
【図６】本発明による他の実施形態の多値情報ピットのレベルの違いによるトラック方向の幅と記録する位置を説明する図である。
【図７】図６の記録方式による情報ピットを再生した時の再生信号の分布を示す図である。
【図８】従来の8値のレベルに対する情報ピットの大きさと記録する位置を示す図である。
【図９】図８の従来方式で記録した情報ピットを再生した時の再生信号の分布を示す図である。
【符号の説明】
【００６４】
１  光学的情報記録再生装置
２  制御回路
３  スピンドルモータ
４  光ディスク
５  光ヘッド
６  光ヘッド制御回路
７  情報記録回路
８  情報再生回路
９  スピンドルモータコントローラ
１０  インターフェースコントローラ
１１  トラック、
１２  情報ピット
１３  光スポット
【図１】
2005346843.tif 000003
【図２】
2005346843.tif 000004
【図３】
2005346843.tif 000005
【図４】
2005346843.tif 000006
【図５】
2005346843.tif 000007
【図６】
2005346843.tif 000008
【図７】
2005346843.tif 000009
【図８】
2005346843.tif 000010
【図９】
2005346843.tif 000011